(57)【特許請求の範囲】
【請求項１】
解体する超高層建物の外周に配置される立体状のフレームと、そのフレームに装備されて解体する超高層建物の外周部に着脱自在に固定されることで前記フレームを支持する固定ブラケットと、前記フレームに装備されて解体する超高層建物の外周部に支持をとりながら前記フレームを昇降させる駆動装置と、その駆動装置に装備されて該駆動装置により前記フレームを昇降させる際に該フレームを案内して超高層建物への衝突を防止するガイドレールと、を備え、
前記固定ブラケットを、上の階とその直下の階にそれぞれ固定可能なように前記フレームの高さ方向の上側と下側にそれぞれ配置し、前記駆動装置を、前記固定ブラケットを各階の外周部から外した状態で、少なくとも１階層分だけフレームを昇降し得るストロークを有するものとして構成し、
前記駆動装置を、伸縮ロッドを上向きにして装備された油圧シリンダで構成し、前記伸縮ロッドの先端に各階の外周部に着脱自在に固定し得る固定手段を設け、
前記ガイドレールは、前記駆動装置としての前記油圧シリンダにおける前記伸縮ロッドの先端に中間部が連結されて両端が左右に張り出した上端水平材と、その上端水平材の左右張り出し端に上端が固定されることで垂直に垂れ下がった２本の垂直材と、各垂直材の下端にそれぞれ水平に取り付けられてその先端が超高層建物の外面に当接する下端水平材と、からなることを特徴とする解体養生ユニット。
【請求項２】
請求項１に記載の解体養生ユニットを地上で組み立て、該解体養生ユニットを前記駆動装置により上昇させて前記固定ブラケットにより前記解体する超高層建物の外周部に固定することで前記フレームを支持し、その状態で該フレームを解体養生防護工として利用しながら、該フレームで囲った階層の解体を行い、順次該フレームを上層階から下層階へ下降させながら上層階から下層階へ解体を進めることを特徴とする超高層建物の解体工法。
【発明の詳細な説明】
【技術分野】
【０００１】
本発明は、例えば密集市街地に建つ超高層建物の解体に有用な解体養生ユニット、および、それを用いた超高層建物の解体工法に関するものである。
【背景技術】
【０００２】
建物を解体する場合、ニブラやクラッシャなどの圧砕機を用いることが多い。これらを用いると、比較的低騒音で効率良く解体を進めることができる。特に低層建物を解体の対象とする場合は、圧砕機単独で建物をガラ状に直に解体することも可能である。解体手順は、騒音対策上、建物内側から解体し、直交する梁や床を解体した後に、周辺の柱・梁・壁を内側に転倒させることが多い。
【０００３】
このような従来の解体技術では、騒音や解体破片の飛散などによる第三者災害を防ぐためと、解体現場の仕切りとするために、解体建物の周辺に枠組み足場を組み立て、養生材（防音パネル）で仮囲いを行う必要がある。
【０００４】
また、圧砕機に代わり、カッターやワイヤソーの切断力を用いて、建物を部材単位に切り出していく解体方法もある。これらの切断力を利用する解体方法では、超高層建物のように、部材が大断面になると騒音が持続することや、切断では切り残しや死角が生じやすく、作業の段取りを含めて時間を要してしまうことが多い。電気加熱やレーザー、マイクロ波による溶断解体方法も開発されているが、建物が高層化し物量が多くなると、経済的な解体方法ではなく、解体材料を搬出する方法と組み合わせた解体工法として確立しなけれぱ実用的ではない。
【０００５】
海外ではダイナマイトを用いて建物を一瞬に解体する工法もあり、わが国でも関東大震災の被災建物の処理に使われたことを初めとして数例の実績はあるが、密集市街地での解体としては実用的でない。
【０００６】
実施工もないことから、超高層建物の解体について言及されているものは少ない。その中で、特許文献１には、図１７に示すように、超高層建物２０１の屋上にマストで支持したハットトラス２０２を構築し、その下部にホイストクレーン２０４を設置して、解体材を垂直搬機２０３で地上に搬送する建物の解体方法が提示されている。
【０００７】
この方法では、最上階の解体が済むと、ハットトラス２０２を支持するマストを下層階に下降させて、下層の部分で支持しながら、漸次上層の階から下層の階へと解体を進める。こうすることにより、解体時の落下などがなく、安全に超高層建物を解体できるとしている。
【０００８】
この解体方法は、解体時の落下養生対策が主眼であり、大掛かりな機械装置を建物の上部に構築して、解体を進めるようにしたものであり、機械装置を組み立てる費用がかかることから、経済性に問題があり、解体工法としては実用的でない。また、特許文献１には、柱、梁、スラブ等の解体の具体的方法については言及されていない。
【０００９】
また、特許文献２には、解体しようとする建物が高層建物である場合には、騒音や粉塵飛散を防ぐ養生体（遮蔽体）の構築が高所となるため大型重機が必要となることから、そのような重機を必要としない遮蔽体と、それを用いた建物の解体工法について言及されている。
【００１０】
この工法では、図１８に示すように、建物３０１の外周を囲むように配設した遮蔽体（遮蔽の目的と解体用機械の収納や解体材の搬出機能を持つ）３０２を、地上から立てたガイド支柱３０３で支持する。特許文献２では、地上で遮蔽体３０２を組み立てることができるため、作業が重機を用いなくても容易になるなどのメリットについて言及している。しかし、その機能から推察して大重量物となる可能性の高い遮蔽体３０２を支えるガイド支柱３０３は、建物３０１が高層になるほど圧縮対策で大型化を余儀なくされるため、高さのある超高層建物の解体に適するとは言えない。また、遮蔽体に収納した機械で解体することからも、機械の錯綜を考えた場合、超高層建物のように限られたフロア面積に適した解体方法とは言えない。
【００１１】
また、特許文献３には、大型ブレーカーや圧砕機などの解体作業装置を使って解体する時に、周辺環境への騒音や振動、粉塵等の悪影響を抑制する解体方法が開示されている。この方法は、コンクリート構造物の内部領域を複数の区画に分けて、各区画内部の柱や壁等の構造部材を先行して爆破した後、区画の外周を爆破解体することを特徴としており、大型ブレーカーを使わないでも、コンクリー圧砕機だけで後処理ができるように爆破を使い、爆音や爆風、粉塵などが漏れ出ないように、区分けした内部から外周に向けて順次爆破することとしている。
【００１２】
しかし、建物をガラ状に解体する時の破砕作業の容易さと、周辺環境への影響を減じるために区画解体を行うことを内容としているが、最外周の爆破による落下危険など超高層建物の解体工法として適用する上では解決しなければならない課題は多いと言わざるを得ない。
【特許文献１】特開平６−２７２４０３号公報
【特許文献２】特開２００２−３４９０７９号公報
【特許文献３】特開２００３−３０７０３８号公報
【発明の開示】
【発明が解決しようとする課題】
【００１３】
ところで、超高層建物は１００メートル近い高さを有するものであり、また密集市街地に立地していることがほとんどであり、しかも周辺には不特定多数の人々が多く行き交っている。このため、超高層建物を解体する時には、以下のような解決しなければならない課題が存在する。
【００１４】
超高層建物が１００ｍ近い高さであることに対して、
１）圧砕機などの解体重機を持ち込むことが不可能である。
２）解体養生に地上から枠組み足場を組み立てることは手間を要し工期がかかる。
３）強風時を想定した耐風対策も必要である。
【００１５】
また、超高層建物が密集市街地に立地していることに対して、
４）隣接する超高層建物の日常活動を制約するような広い敷地を用いた解体が難しい。
５）解体期間中を通して、建物の耐震性・耐風性を保持する必要がある。
【００１６】
また、共通事項やその他の事項として、
６）コンクリート塊の落下など、周辺環境への不測の事態による誤りが絶対に許されない。
７）建物高さの制約から、解体重機を持ち込むことができないため、手はつり解体が基本的工法となる。
８）鉄筋コンクリート構造であると、コンクリートの圧縮強度が５０Ｎ／平方ミリメートル程度に達していること、配筋も高密度となっていることが多く、手はつりによる解体だけでは作業が滞る。
９）高所での騒音や粉塵の発生を防ぐ解体能率の良い解体工法が必要である。
【００１７】
本発明は、上記事情を考慮し、解体作業時の養生を確実に行うことができ、工期をかけずに効率良く建物を解体することができる、密集市街地に建つ超高層建物の解体に有効な解体養生ユニット、および、それを用いた超高層建物の解体工法を提供することを目的とする。
【課題を解決するための手段】
【００１８】
請求項１の発明の解体養生ユニットは、解体する超高層建物の外周に配置される立体状のフレームと、そのフレームに装備されて解体する超高層建物の外周部に着脱自在に固定されることで前記フレームを支持する固定ブラケットと、前記フレームに装備されて解体する超高層建物の外周部に支持をとりながら前記フレームを昇降させる駆動装置と、その駆動装置に装備されて該駆動装置により前記フレームを昇降させる際に該フレームを案内して超高層建物への衝突を防止するガイドレールと、を備え、前記固定ブラケットを、上の階とその直下の階にそれぞれ固定可能なように前記フレームの高さ方向の上側と下側にそれぞれ配置し、前記駆動装置を、前記固定ブラケットを各階の外周部から外した状態で、少なくとも１階層分だけフレームを昇降し得るストロークを有するものとして構成し、前記駆動装置を、伸縮ロッドを上向きにして装備された油圧シリンダで構成し、前記伸縮ロッドの先端に各階の外周部に着脱自在に固定し得る固定手段を設け、前記ガイドレールは、前記駆動装置としての前記油圧シリンダにおける前記伸縮ロッドの先端に中間部が連結されて両端が左右に張り出した上端水平材と、その上端水平材の左右張り出し端に上端が固定されることで垂直に垂れ下がった２本の垂直材と、各垂直材の下端にそれぞれ水平に取り付けられてその先端が超高層建物の外面に当接する下端水平材と、からなることを特徴とする。
【００２１】
請求項２の発明は、請求項１に記載の解体養生ユニットを地上で組み立て、該解体養生ユニットを前記駆動装置により上昇させて前記固定ブラケットにより前記解体する超高層建物の外周部に固定することで前記フレームを支持し、その状態で該フレームを解体養生防護工として利用しながら、該フレームで囲った階層の解体を行い、順次該フレームを上層階から下層階へ下降させながら上層階から下層階へ解体を進めることを特徴とする。
【発明の効果】
【００２４】
請求項１の発明の解体養生ユニットは、解体する超高層建物の外周に配置される立体状のフレーム自体に、解体する超高層建物の外周部に着脱自在に固定されることでフレームを支持する固定ブラケットと、解体する超高層建物の外周部に支持をとりながらフレームを昇降させる駆動装置と、駆動装置に装備されて前記フレームを昇降させる際に該フレームを案内して超高層建物への衝突を防止するガイドレールと、を装備しているので、地上で安全に組み立て、自力で建物の最上階まで到達させ、そこから解体養生防護工として利用しながら、解体の進行に合わせて、下層階へ順次移動させることができる。従って、解体養生のために地上から枠組み足場を組み立てる必要がなく、解体工期を短縮することができ、解体養生作業を合理化することができ、密集市街地に建つ超高層建物の解体にも有効に利用できる。
【００２５】
また、固定ブラケットを、上の階とその直下の階にそれぞれ固定可能なようにフレームの高さ方向の上側と下側にそれぞれ配置し、駆動装置を、少なくとも１階層分だけフレームを昇降し得るストロークを有するものとして構成したので、最小の設備で効率良く超高層建物の解体に利用することができる。しかも、上下の固定ブラケットにより複数階に支持をとることができるので、耐風性・耐震性を発揮する解体養生防護工を実現することができる。
【００２６】
さらに、駆動装置を、伸縮ロッドを上向きにして装備された油圧シリンダで構成し、伸縮ロッドの先端に各階の外周部に着脱自在に固定し得る固定手段を設けたので、油圧シリンダのロッドに、伸縮に際して引張力だけしか作用しないようにすることができ、それにより、圧縮力が作用する場合に比較して、油圧系の簡略化を図ることができる。また、伸縮ロッドの先端に、建物の外周部に対して着脱自在な固定手段を設けたので、ロッドのストローク動作により、フレームを簡単に昇降させることができる。
しかも、前記ガイドレールは、前記駆動装置としての前記油圧シリンダにおける前記伸縮ロッドの先端に中間部が連結されて両端が左右に張り出した上端水平材と、その上端水平材の左右張り出し端に上端が固定されることで垂直に垂れ下がった２本の垂直材と、各垂直材の下端にそれぞれ水平に取り付けられてその先端が超高層建物の外面に当接する下端水平材と、からなるので、フレームを昇降させる際にそのガイドレールによってフレームが超高層建物に衝突してしまうことを防止することができる。
【００２７】
請求項２の発明によれば、解体養生ユニットを地上で組み立て、その解体養生ユニットを駆動装置により上昇させて固定ブラケットにより解体する超高層建物の外周部に固定することでフレームを支持し、その状態でフレームを解体養生防護工として利用しながら、フレームで囲った階層の解体を行って、順次フレームを上層階から下層階へ下降させながら上層階から下層階へ解体を進めるので、建物の外周部に張り出したバルコニー等に、解体養生防護工として利用するフレームの支持を簡単にとることができる。従って、工期をかけずに効率良く解体を進めることが可能になり、密集市街地に建つ超高層建物の解体に有効に利用することができる。また、解体養生ユニットを解体養生防護工としながら解体を進めるので、強風時を想定した耐風対策も特に必要ではなくなり、工費節減に寄与することができる。
【発明を実施するための最良の形態】
【００３１】
以下、本発明の解体養生ユニットおよびそれを用いた超高層建物の解体工法の実施形態について、図面を参照しながら説明する。
図１は解体の概要を示し、（ａ）は解体初期、（ｂ）は解体途中の状況を示している。図中１は解体する対象の超高層建物であり、この解体工法においては、現場に解体部材１９の搬出用のタワークレーン５０と荷用リフト５１を設置する。また、地上には圧砕機５２を用意する。
【００３２】
躯体部分の解体に先立ち、予め窓ガラスや設備配管などの仕上げ・設備類を解体しておき、荷用リフト５１で搬出した後で、床板・梁・柱などの躯体の解体にとりかかる。タワークレーン５１は、揚重能カが２０００〜２５００ｋＮｍぐらいの能力を持つ機種が実用的である。
【００３３】
超高層建物１は立地が密集市街地であるため、周辺に解体用のスペースを広く確保することは難しい。そこで、解体養生ユニット２０を使用する。
【００３４】
解体養生ユニット２０を作るには、まず、養生フレーム２０Ａを、建物全体を取り囲むような平面矩形の立体形状に地上で組み立てる。養生フレーム２０Ａは、解体する階層の周辺のみを覆う高さに設定し、限られた面積とすることで、耐風性を確保しやすくしておく。養生フレーム２０Ａの組み立て材料としては、仮設用単管など、軽量で強度のある部材を使用することができる。このような材料を立体トラス状に組み立てることにより、養生フレーム２０Ａを作る。
【００３５】
次に、組み立てた養生フレーム２０Ａに、図２に示すように、固定ブラケット２１、２２や駆動装置である油圧シリンダ３０を取り付けることにより、解体養生ユニット２０を完成させる。養生フレーム２０Ａの高さは、２階層分を超える大きさに設定してあり、養生フレーム２０Ａの外周面には防音パネル２３（図４参照）が取り付けてある。
【００３６】
固定ブラケット２１、２２は、解体する超高層建物の外周部に着脱自在に固定されることで養生フレーム２０Ａを支持するためのものであり、上の階とその直下の階にそれぞれ固定可能なように、養生フレーム２０Ａの高さ方向の中間部と下部にそれぞれ配置してある。
【００３７】
駆動装置としての油圧シリンダ３０は、解体する超高層建物１の外周部に支持をとりながら養生フレーム２０Ａを昇降させるためのものであり、固定ブラケット２１、２２を各階の外周部から外した状態で、少なくとも１階層分だけ養生フレーム２０Ａを昇降し得るように動作ストロークが設定されている。ここでは、油圧シリンダ３０のストロークは最大階高に等しく設定されている。
【００３８】
駆動装置としては、チェーンブロックなど簡便なものを使用することも可能であるが、ここでは効率の面から、伸縮ロッド３１を上向きにした油圧シリンダ３０を使用している。伸縮ロッド３１を上向きにして油圧シリンダ３０を使うと、ロッド３１の伸縮に際して油圧シリンダ３０には引張カだけが作用することになる。そのため、油圧シリンダ３０を圧縮に使う場合に比較して、単純で安価な油圧系を使うことができるというメリットが得られる。
【００３９】
この油圧シリンダ３０のロッド３１の先端（上端）には、各階の外周部に着脱自在に固定し得る固定部材（固定手段）３２が取り付けてある。
【００４０】
このように組み立てた解体養生ユニット２０を、図２に示すように、解体しようとしている超高層建物１に設置し、フロア単位で盛り替えながら、最上層まで上昇させる。なお、図２において、１は建物、２は柱、３は梁、４は床板、４ａはバルコニーを示す。
【００４１】
上昇時には、図２（ａ）に示すように、固定ブラケット２１、２２によって養生フレーム２０Ａが固定されている階より上の階に、油圧シリンダ３０のロッド３１を伸ばして（矢印Ａ）、その先端の固定部材３２を、建物１の外周部（バルコニー４ａ等）に固定する。
【００４２】
次いで、（ｂ）に示すように、養生フレーム２０Ａの固定ブラケット２１、２２による固定を解除した状態で、油圧シリンダ３０のロッド３１を縮めていくと、養生フレーム２０Ａが上昇する（矢印Ｂ）。
【００４３】
１階層分だけ上昇したら、（ｃ）に示すように、固定ブラケット２１、２２を、上昇した階の建物１の外周部（バルコニー４ａ等）に固定することで、養生フレーム２０Ａを支持する。固定ブラケット２１、２２により養生フレーム２０Ａを確実に支持したら、油圧シリンダ３０のロッド３１の先端の固定部材３２の建物１に対する固定を解除する。こうすることで、１階層分の上昇が終わる。
【００４４】
ところで、上記のように油圧シリンダ３０のロッド３１を伸ばして養生フレーム２０Ａを上昇させるとき、ロッド３１の先端のみが建物１に止められているだけであると、養生フレーム２０Ａ全体がロッド３１の先端を中心として回転してしまうおそれがあるので、図２に示すように、油圧シリンダ３０のロッド３１の先端と繋がったガイドレール３３を設けておき、図示するようにガイドレール３３に案内されながら養生フレーム２０Ａが一定の姿勢で上昇するようにしてある。
【００４５】
具体的に説明すると、図４に示すように、ガイドレール３３は、ロッド３１の先端に中間部が連結されて両端が左右に張り出した上端水平材３３ａと、上端水平材３３ａの左右張り出し端に上端が固定されることで垂直に垂れ下がった２本の垂直材３３ｂと、各垂直材３３ｂの下端に水平に取り付けられて建物１の外面に案内される下端水平材３３ｃと、からなる。この２本の下端水平材３３ｃが建物１に当たってガイドされるため、油圧シリンダ３０のロッド３１が上昇または下降するときに、養生フレーム２０Ａが建物１に衝突しないように支持される。
【００４６】
油圧シリンダ３０のロッド３１の上端の固定部材３２は、回転機構３４を介してロッド３１に取り付けられており、固定部材３２の先端には、予め建物１のバルコニーや梁上面等に取り付けられた留め具３５のダボに係合する凹部３２ａが設けられている。従って、固定部材３２を建物１側に回転させて、凹部３２ａを留め具３５に係合させることにより、ロッド３１の先端を建物１に固定することができるし、固定部材３２を建物１から離れる側に回転させて係合を外すことにより、固定を解除することができる。
【００４７】
また、固定ブラケット２１、２２の構造は、例えば、図５に示すようになっている。即ち、図５の例では、２本のアーム２４を養生フレーム２０Ａ側から建物１側に突き出させてあり、各アーム２４を矢印Ｅのように水平方向に回転できるように支持している。そして、各アーム２４の先端の孔２４ａを、予め建物１側に設けてあるアンカー２５のボルト２６に上から通して、ナットで締結することにより、固定ブラケット２１、２２を建物１側に着脱自在に固定できる。なお、アンカー２５の設置場所は、バルコニー４ａの先端や梁３の上面等の任意の場所に設定することができ、解体する建物１の状況に応じて選択すればよい。
【００４８】
上昇時の操作は上述したが、解体養生ユニット２０を下降させる場合には、図３（ａ）に示すように、油圧シリンダ３０のロッド３１の先端の固定部材３２による固定を確認し、（ｂ）に示すように、固定ブラケット２１、２２による固定を解除して、油圧シリンダ３０のロッド３１を伸ばす。そうすると、養生フレーム２０Ａが建物１に沿って下降する（矢印Ｃ）。
【００４９】
ロッド３１が伸びきったところで、養生フレーム２０Ａを固定ブラケット２１、２２により建物１に固定し、次いでその状態で、固定部材３２による固定を解いて、（ｃ）に示すように、油圧シリンダ３０のロッド３１を縮める（矢印Ｄ）。そうすると、ガイドレール３３が下階に伸長していく。このような下降時も、油圧シリンダ３０には引張力のみが作用する。
【００５０】
解体養生ユニット２０の昇降に際し、取り付いている全ての油圧シリンダ３０を同調させて一度に上昇・下降を行ってもよいし、安全を考えて何個かのブロックにグループ分けしておき、ブロックごとに油圧シリンダ３０で上昇・下降させてもよい。なお、下降する時には、養生フレーム２０Ａが固定された時点で、油圧シリンダ３０のロッド３１を少し上に伸ばすと、固定部材３２の留め具３５からの解除が容易にできる。
【００５１】
次に解体工法について説明する。
まず、前述のように組み立てた解体養生ユニット２０を、クレーン等を用いずに自力で、建物１の最上階まで到達させ、解体養生ユニット２０の固定ブラケット２１、２２を、解体する超高層建物１の外周部に固定することで、養生フレーム２０Ａを支持する。
【００５２】
その状態で養生フレーム２０Ａを解体養生防護工として利用しながら、養生フレーム２０Ａで囲った階層の解体を行い、解体の進行に合わせて、解体養生ユニット２０を下層階へ順次移動させる。そして、順次解体養生ユニット２０を上層階から下層階へ下降させながら、上層階から下層階へ向けて建物１の解体を進める。
【００５３】
図６は解体階Ｋと解体養生ユニット２０の関係を示している。養生フレーム２０Ａは、解体階Ｋの周辺のみを覆う大きさのものであり、限られた面積のものであることから、耐風性の点で有利である。
【００５４】
各階の解体は、基本的に建物１の各部材を、各階層ごとに水平２次部材（床板）、水平主材（梁）、鉛直２次部材（壁）、鉛直主材（柱）の順に切断し、各部材単位で搬出することで行う。部材の切断方法としては、部材の破断に効果を限定した特殊火薬による発破と手はつりを併用する。
【００５５】
発破に際しては、床板、梁、柱など各々の解体部材重量が４０〜５０ｋＮになるような位置に装薬のためのさく孔を行う。さく孔に装薬して飛石養生を行い、床板周辺、梁の柱際、柱の床上位置など、予め限定した切断位置を発破する。次いで、ひび割れた切断位置のコンクリートをピックハンマで後処理し、部材主筋を出す。主筋は高圧ガスの噴射火炎で切断し、切断した部材を揚重して地上に搬出する。
【００５６】
地上では限られた広場でコンクリート部材をガラ状に二次破砕し、再生骨材として現場外に搬出する。建物１内の解体作業は、さく孔と装薬および発破、主筋の切断のみであり、大型ブレーカーを使う時のような連続的騒音の発生がなく、また、切断位置の後処理により落下物もなくなる。
【００５７】
図７は床板４の切断方法についての説明図である。切断方向に薄い部材の場合には、ノイマン効果を利用した成型装薬を切断位置に配置して発破すると、装薬内の金属ライナーが崩壊し、ジェット流となって床板コンクリートを破壊する。図６（ａ）、（ｂ）において、６１は成型装薬、６１ａは爆薬、６１ｂは金属ライナーである。
【００５８】
梁際から３０ｃｍ程度の位置に成型装薬６１の配置を行えば、床板４はかなり自由に切断でき、図８に示すように露出した鉄筋４ｂは、床板４下のサポート６３とジャッキ６４で支えながら切断する。クレーン５０（図１参照）で揚重する時には、周辺との競り合いがないように、サポート６３に取り付けておいたジャッキ６４で数ｃｍ持ち上げて搬出することもある。
【００５９】
図９はバルコニー４ａの切断方法についての説明図である。
バルコニー４ａは、床板の３辺を切断して搬出する。
【００６０】
図１０および図１１は、床板４が搬出された後の梁３の解体方法の説明図である。
梁３の解体に際しては、予め設けてある吊り出し用の孔にワイヤを通し、サポート６３で支えた状態で、両端柱際の切断位置に装薬し、ブラスティングマット６２（図６参照）で飛石養生を行い発破する。次にひび割れたコンクリートを後処理し、ワイヤを吊った状態で主筋３ｂを高圧ガスで切断し、切り離した梁３を搬出する。
【００６１】
床板４、梁３が解体された後には、図１２に示すように、解体階の柱２が掘立状に立った状態で残っている。そこで、柱２を床から２０ｃｍ程度上の位置でを切断し、引き倒すことなく吊り上げて搬出する。
【００６２】
柱２の切断には、まず、剥離発破方式で被り部分のコンクリートを取り除いて主筋を露出させた後、主筋を切断し、次に楔で主筋内部のコンクリートを切断する方法を採ったり、装薬を柱内部に行い、切断位置のコンクリート全面にひび割れを発生させる方法を採ったりすることができる。
【００６３】
図１３はその具体例を示している。
柱２の切断の際には、梁３の端部が残るように梁３側を発破切断し、残った梁３の端部にサポート７０を架けて、ジャッキ７３とローラ７４を下端部に配したサポート７０により、柱２の下端が発破切断されても、柱２の上側部分が倒れないように支持する。そして、柱２の脚部に内部装薬し、飛石養生７５を施して、コンクリートを発破により破砕する。次に、図１４に示すように、作業員Ｍがコンクリートを剥離した部分の柱２の主筋を切断した後に、切断箇所より上側の柱２を搬出する。
【００６４】
ここで述べた解体工法は、特殊火薬を用いて切断位置に多くのひび割れを発生させ、その後、ピックハンマで後処理をして、露出した主筋を高圧ガスで切断して搬出するという、手はつりを基本とした部材切断工法である。解体の作業工程は、さく孔、装薬・養生、発破、後処理、主筋切断・搬出の順である。
【００６５】
これら工程を単位時間で行えれば、解体のサイクルエ程化が可能となる。
梁３や柱２等の線部材の解体に対して、さく孔数と装薬数が多い床板４の解体が、サイクル工程化する上で問題となるが、図７に示したような成型爆薬６１での解体が実現できると、工程の単位時間を２０分単位とするようなサイクル工程化が可能となる。
【００６６】
図１５は解体サイクル工程の例を示す。この場合には、１チームを３人で構成して解体を行うと、１００分で１部材の解体・搬出が可能とするには、全体は５チーム（１５人）で解体サイクルが成り立つ。
【００６７】
ここでは、例えば図１６（ａ）、（ｂ）に示すように、クレーンで揚重しながら切断作業を行って部材を搬出する場合のクレーンの標準サイクルについて考えてみる。各動作に要する時間はおおよそ、
旋回＝０．５（分）
玉掛＝１
解体作業（主筋切断）＝１２
旋回＝１
巻下げ＝０．５
旋回位置決め＝２
外し＝１
旋回巻上げ＝１
休止＝１
となり、１サイクルに要する合計時間は２０分となる。
【００６８】
従って、搬出のためのタワークレーン５０の標準サイクルタイムを２０分とすると、主筋切断（解体作業）に１２分を費やすことができる。実働７時間として、２１部材／日の解体が可能であり、解体搬出部材数が２２０ピース／フロアの超高層建物では、１０〜１１日／フロア／１タワークレーンの工程で解体できる、と試算することができる。
【００６９】
以上説明したように、本発明の実施形態の解体養生ユニット２０は、解体する超高層建物１の外周に配置される立体状の養生フレーム２０Ａ自体に、解体する超高層建物１の外周部に着脱自在に固定されることで養生フレーム２０Ａを支持する固定ブラケット２１、２２と、解体する超高層建物１の外周部に支持をとりながら養生フレーム２０Ａを昇降させる駆動装置としての油圧シリンダ３０と、を装備しているので、地上で安全に組み立て、自力で建物の最上階まで到達させ、そこから解体養生防護工として利用しながら、解体の進行に合わせて、下層階へ順次移動させることができる。
【００７０】
従って、解体養生のために地上から枠組み足場を組み立てる必要がなく、解体工期を短縮することができ、解体養生作業を合理化することができ、密集市街地に建つ超高層建物の解体にも有効に利用できる。
【００７１】
また、実施形態の解体養生ユニット２０においては、固定ブラケット２１、２２を、上の階とその直下の階にそれぞれ固定可能なように養生フレーム２０Ａの高さ方向の上側（中間部）と下側（下部）にそれぞれ配置し、また、駆動装置を、少なくとも１階層分だけ養生フレーム２０Ａを昇降し得るストロークを有する油圧シリンダ３０で構成しているので、最小の設備で効率良く超高層建物１の解体に利用することができる。しかも、上下の固定ブラケット２１、２２により複数階に支持をとることができるので、耐風性・耐震性を発揮する解体養生防護工を実現することができる。
【００７２】
また、前記駆動装置を、伸縮ロッド３１を上向きにして装備された油圧シリンダ３０で構成し、伸縮ロッド３１の先端に各階の外周部に着脱自在に固定し得る固定部材３２を設けているので、油圧シリンダ３０のロッド３１に、伸縮に際して引張力だけしか作用しないようにすることができ、それにより、圧縮力が作用する場合に比較して、油圧系の簡略化を図ることができる。また、伸縮ロッド３１の先端に、建物１の外周部に対して着脱自在な固定部材３２を設けているので、ロッド３１のストローク動作により、養生フレーム２０Ａを簡単に昇降させることができる。
【００７３】
また、実施形態の解体工法によれば、解体養生ユニット２０の固定ブラケット２１、２２を、解体する超高層建物１の外周部に固定することで養生フレーム２０Ａを支持し、その状態で養生フレーム２０Ａを解体養生防護工とし利用しながら、養生フレーム２０Ａで囲った階層の解体を行って、順次養生フレーム２０Ａを上層階から下層階へ下降させながら上層階から下層階へ解体を進めるので、建物１の外周部に張り出したバルコニー４ａ等に、解体養生防護工として利用する養生フレーム１０Ａの支持を簡単にとることができる。
【００７４】
従って、工期をかけずに効率良く解体を進めることが可能になり、密集市街地に建つ超高層建物１の解体に有効に利用することができる。また、解体養生ユニット２０を解体養生防護工としながら解体を進めるので、強風時を想定した耐風対策も特に必要ではなくなり、工費節減に寄与することができる。
【００７５】
また、実施形態の解体工法は、建物上階から順次部材を取り外していく解体方法であるため、常に耐震性・耐風性を備えた状態で建物１の解体を進めることができ、安全性を高めることができる。また、順次部材（床板４、梁３、柱２等）単位で解体していくため、隣接する超高層建物の日常活動を制約するような広い敷地を、解体のために必要としない。また、順次部材単位に切断して搬出するため、コンクリート塊の落下など、周辺環境への不測の事態による誤りを生じる心配がなく、安全に解体を行うことができる。また、部材解体の切断位置を限定できるため、特に大型重機を使用せずに解体を進めることができる。
【００７６】
また、実施形態の解体工法では、部材の切断方法として、部材の破断に効果を限定した特殊火薬による発破と手はつりを併用するので、圧砕機などの解体重機を用いることなく、騒音や粉塵の発生を最小限に抑えながら、超高層建物１を合理的に解体することができる。
【００７７】
因みに、３０層、８２４４部材の地上躯体を解体する場合の工期と工費について検討した結果について記す。部材端をハンドブレーカで切断した場合と本発明の実施形態の工法を比較した場合、以下のようになった。ただし、タワークレーン２台を設置するものとする。
＜工期＞ハンドブレーカ：１１ヶ月
本発明        ：  ８ヶ月
＜工費＞ハンドブレーカ：１
本発明        ：０．８
【図面の簡単な説明】
【００７８】
【図１】本発明の実施形態の解体工法の概要説明図であり、（ａ）は解体初期、（ｂ）は解体途中の状況を示す図である。
【図２】本発明の実施形態の解体養生ユニットの構成と、その上昇時の過程を順を追って示す側断面図である。
【図３】本発明の実施形態の解体養生ユニットの構成と、その下降時の過程を順を追って示す側断面図である。
【図４】前記解体養生ユニットの駆動装置の概略説明図で、（ａ）は上から見た平面図、（ｂ）は高さ方向の中間部を省略した側面図である。
【図５】前記解体養生ユニットの固定ブラケットの概略説明図で、（ａ）は上から見た平面図、（ｂ）は側面図である。
【図６】前記解体養生ユニットと解体階の関係を示す側断面図である。
【図７】本発明の実施形態の解体工法において、床板の解体の際に仕掛ける装薬の説明図で、（ａ）は全体斜視図、（ｂ）は（ａ）のＶＩＩｂ−ＶＩＩｂ矢視断面図である。
【図８】前記床板の吊り上げ時の状態を示す斜視図である。
【図９】バルコニーの解体方法の説明図である。
【図１０】梁の解体方法の説明図である。
【図１１】梁の吊り上げ時の状態を示す斜視図である。
【図１２】柱の解体方向の説明図である。
【図１３】柱の発破時の準備状況の説明図で、（ａ）は平面図、（ｂ）は側面図である。
【図１４】柱の切断状況を示す側面図である。
【図１５】解体サイクル工程の説明図である。
【図１６】タワークレーンを用いた解体作業の説明図である。
【図１７】従来例の説明図である。
【図１８】別の従来例の説明図である。
【符号の説明】
【００７９】
１  超高層建物
２  柱
３  梁
４  床板
４ａ  バルコニー（建物の外周部）
２０  解体養生ユニット
２０Ａ  養生フレーム
２１，２２  固定ブラケット
３０  油圧シリンダ（駆動装置）
３１  ロッド（伸縮ロッド）
３２  固定部材（固定手段）
３３  ガイドレール
３３ａ  上端水平材
３３ｂ  垂直材
３３ｃ  下端水平材
６１  成型装薬（特殊火薬）
【図１】
0004461434.tif 000002
【図２】
0004461434.tif 000003
【図３】
0004461434.tif 000004
【図４】
0004461434.tif 000005
【図５】
0004461434.tif 000006
【図６】
0004461434.tif 000007
【図７】
0004461434.tif 000008
【図８】
0004461434.tif 000009
【図９】
0004461434.tif 000010
【図１０】
0004461434.tif 000011
【図１１】
0004461434.tif 000012
【図１２】
0004461434.tif 000013
【図１３】
0004461434.tif 000014
【図１４】
0004461434.tif 000015
【図１５】
0004461434.tif 000016
【図１６】
0004461434.tif 000017
【図１７】
0004461434.tif 000018
【図１８】
0004461434.tif 000019